(57)【要約】【課題】複数のファンモジュールの高さを共に調整することができるだけでなく、複数のファンモジュールのうち一部のファンモジュールの高さが他のファンモジュールの高さと異なるように調整することもでき、複数のファンモジュールを最適に配置することができる、ファンアセンブリ及びそれを有する電力機器を提供する。【解決手段】本発明の一実施形態によるファンアセンブリ５は、第１ガイド５０と、第１ガイド５０に取り付けられて垂直方向に高さ調整可能な第２ガイド６０と、第２ガイド６０に沿って水平方向に移動可能に取り付けられたスライダ７０と、スライダ７０に締結される複数のファンモジュール８１、８２、８３と、を有し、複数のファンモジュール８１、８２、８３のそれぞれがスライダ７０に高さ調整可能に締結される。【選択図】図６
2017120902.tif 000002
【特許請求の範囲】
【請求項１】
第１ガイドと、
前記第１ガイドに高さ調整可能に取り付けられた第２ガイドと、
前記第２ガイドに沿って水平方向に移動可能に取り付けられたスライダと、
前記スライダに締結される複数のファンモジュールと、を有し、
前記複数のファンモジュールのそれぞれが前記スライダに高さ調整可能に締結される、ファンアセンブリ。
【請求項２】
前記複数のファンモジュールのそれぞれは、
複数のファンと、
前記複数のファンが空気を送風するように取り付けられたファンマウンタと、を有し、
前記ファンマウンタは、前記スライダに高さ調整可能に締結される可変締結板を有する、請求項１に記載のファンアセンブリ。
【請求項３】
前記スライダにはスライダ締結部が形成され、
前記可変締結板には上下方向に離隔して配置された複数のファンモジュール締結部が形成され、
前記スライダと前記可変締結板とは、前記複数のファンモジュール締結部のいずれか１つと前記スライダ締結部とを貫通して配置される締結部材により締結される、請求項２に記載のファンアセンブリ。
【請求項４】
前記ファンマウンタは、
複数のエアガイドと、
前記複数のエアガイドが設置されて前記可変締結板に連結されたエアガイド設置板と、をさらに有する、請求項２に記載のファンアセンブリ。
【請求項５】
前記複数のファンモジュールのうち高さの高いファンモジュールの側方に配置されたサイドエアガイドをさらに有する、請求項１に記載のファンアセンブリ。
【請求項６】
前記複数のファンモジュールのうち同じ高さのファンモジュール間の上方に配置されたアッパエアガイドをさらに有する、請求項５に記載のファンアセンブリ。
【請求項７】
前記サイドエアガイドの上端は、前記アッパエアガイドの上端より高い位置に配置される、請求項６に記載のファンアセンブリ。
【請求項８】
前記スライダには、前記サイドエアガイドが固定されるサイドエアガイド固定部と、前記アッパエアガイドが固定されるアッパエアガイド固定部と、が共に形成される、請求項６に記載のファンアセンブリ。
【請求項９】
前記スライダの前方に配置されたスライダハンドルをさらに有する、請求項１に記載のファンアセンブリ。
【請求項１０】
前記スライダは、
前記複数のファンモジュールのそれぞれが高さ調整可能に締結されるフロントボディと、
前記フロントボディの後方に配置されたサイドボディと、
前記サイドボディに回転可能に設けられて前記第２ガイドに沿って転動するローラと、を有する、請求項１に記載のファンアセンブリ。
【請求項１１】
内部に空間が形成されたケースと、
前記空間に配置された複数のモジュールと、
前記複数のモジュールの上方に位置するように前記空間に配置され、前記複数のモジュールに空気を流動させるファンアセンブリと、を有し、
前記ファンアセンブリは、
垂直方向に長く配置されるように前記ケースに取り付けられた第１ガイドと、
水平方向に長く配置されるように前記第１ガイドに高さ調整可能に取り付けられた第２ガイドと、
前記第２ガイドに沿って水平方向に移動可能に取り付けられたスライダと、
前記スライダに締結される複数のファンモジュールと、を有し、
前記複数のファンモジュールが前記複数のモジュールと１対１に対応し、
前記複数のファンモジュールのそれぞれが前記スライダに高さ調整可能に締結される、ファンアセンブリを有する電力機器。
【請求項１２】
前記複数のファンモジュールのそれぞれは、
空気を上方に送風する複数のファンと、
前記複数のファンが取り付けられたファンマウンタと、を有し、
前記ファンマウンタは、前記スライダに高さ調整可能に締結される可変締結板を有する、請求項１１に記載の、ファンアセンブリを有する電力機器。
【請求項１３】
前記ファンマウンタは、
上下方向に中空部を有する複数のエアガイドと、
前記複数のエアガイドが設置されて前記可変締結板に連結されたエアガイド設置板と、をさらに有する、請求項１２に記載の、ファンアセンブリを有する電力機器。
【請求項１４】
前記可変締結板は垂直に配置され、前記エアガイド設置板は水平に配置される、請求項１３に記載の、ファンアセンブリを有する電力機器。
【請求項１５】
前記スライダは、
前記可変締結板が高さ調整可能に締結されるフロントボディと、
前記フロントボディの後方に配置されたサイドボディと、
前記サイドボディに回転可能に設けられて前記第２ガイドに沿って転動するローラと、を有する、請求項１２に記載の、ファンアセンブリを有する電力機器。
【請求項１６】
前記ファンアセンブリは、
前記複数のファンモジュールのうち高さの高いファンモジュールの側方に配置されたサイドエアガイドをさらに有する、請求項１１に記載の、ファンアセンブリを有する電力機器。
【請求項１７】
前記ファンアセンブリは、
前記複数のファンモジュールのうち同じ高さのファンモジュール間の上方に配置され、少なくとも一部が前記サイドエアガイドから左右方向に離隔したアッパエアガイドをさらに有する、請求項１６に記載の、ファンアセンブリを有する電力機器。
【請求項１８】
前記サイドエアガイドと前記アッパエアガイドとが平行に配置され、
前記サイドエアガイドの空気案内面と前記アッパエアガイドの空気案内面とが対向して配置される、請求項１７に記載の、ファンアセンブリを有する電力機器。
【請求項１９】
前記スライダには、前記サイドエアガイドが固定されるサイドエアガイド固定部と、前記アッパエアガイドが固定されるアッパエアガイド固定部と、が共に形成される、請求項１７に記載の、ファンアセンブリを有する電力機器。
【請求項２０】
前記ファンアセンブリは、
前方に突設されて前記スライダの前方に配置されたスライダハンドルをさらに有する、請求項１１に記載の、ファンアセンブリを有する電力機器。
【発明の詳細な説明】
【技術分野】
【０００１】
本発明は、ファンアセンブリ及びファンアセンブリを有する電力機器に関し、より詳細には、複数のファンモジュールを含むファンアセンブリ及び複数のファンモジュールを含むファンアセンブリを有する太陽光電力変換装置に関する。
【背景技術】
【０００２】
ファンは、羽根やプロペラなどを回転させて空気を吸引したり送風する機器であり、送風機、通風機ともいう。
【０００３】
ファンは、電力電子機器（electric power electronic device）や家電機器などの電子機器に設けられ、発熱量の多い部品やモジュールに空気を流動させることにより空冷式で発熱量の多い部品やモジュールの温度を下げる。
【０００４】
ファンは、複数の部材の結合体であるファンアセンブリで構成されてもよく、ファンアセンブリは、回転して空気を流動させるブロワと、ブロワを回転させるモータと、空気の流路を形成するファンハウジングなどの流路ガイドと、を含んでもよい。
【０００５】
ファンアセンブリは、１つのブロワを含んでもよく、複数のブロワの組み合わせを含んでもよく、必要に応じて複数のブロワを平行に配置して複数のブロワを共に回転させるようにしてもよい。
【０００６】
ファンアセンブリは、ブロワの大きさ、ブロワの回転数、モータの性能、ファンハウジングの形状、放熱対象との距離などによって放熱性能が異なり、放熱対象を最も効率的に放熱できるように構成されることが好ましい。
【０００７】
ファンアセンブリは、太陽光電力変換装置（太陽光ＰＣＳ）やエネルギー貯蔵システム（ESS: Energy Storage System）などの電力機器に設けることができるが、この場合、ファンアセンブリの設置位置や構造は、電力機器の性能を決定する重要因子となる。
【先行技術文献】
【特許文献】
【０００８】
【特許文献１】特開２０１０−０９８８５８号公報
【特許文献２】特開２００９−０２７０５１号公報
【発明の概要】
【発明が解決しようとする課題】
【０００９】
本発明は、複数のファンモジュールを最適に配置することができ、複数のファンモジュールのメンテナンスを容易に行うことができるファンアセンブリ及び複数のファンモジュールを最適に配置することができ、複数のファンモジュールのメンテナンスを容易に行うことができるファンアセンブリを有する電力機器を提供することを目的とする。
【課題を解決するための手段】
【００１０】
本発明の一実施形態によるファンアセンブリは、第１ガイドと、第１ガイドに高さ調整可能に取り付けられた第２ガイドと、第２ガイドに沿って水平方向に移動可能に取り付けられたスライダと、スライダに締結される複数のファンモジュールと、を有し、複数のファンモジュールのそれぞれは、スライダに高さ調整可能に締結される。
【００１１】
複数のファンモジュールのそれぞれは、複数のファンと、複数のファンが平行な方向に空気を送風するように取り付けられたファンマウンタと、を有し、ファンマウンタは、スライダに高さ調整可能に締結される可変締結板を有するようにしてもよい。
【００１２】
スライダにはスライダ締結部が形成され、可変締結板には上下方向に離隔して配置された複数のファンモジュール締結部が形成され、スライダと可変締結板とは、複数のファンモジュール締結部のいずれか１つとスライダ締結部とを貫通して配置される締結部材により締結されるようにしてもよい。
【００１３】
ファンマウンタは、複数のエアガイドと、複数のエアガイドが設置されて可変締結板に連結されたエアガイド設置板と、をさらに有するようにしてもよい。
【００１４】
ファンアセンブリは、複数のファンモジュールのうち高さの高いファンモジュールの側方に配置されたサイドエアガイドをさらに有するようにしてもよい。
【００１５】
ファンアセンブリは、複数のファンモジュールのうち同じ高さのファンモジュール間の上方に配置されたアッパエアガイドをさらに有するようにしてもよい。
【００１６】
サイドエアガイドの上端は、アッパエアガイドの上端より高い位置に配置されるようにしてもよい。
【００１７】
スライダには、サイドエアガイドが固定されるサイドエアガイド固定部と、アッパエアガイドが固定されるアッパエアガイド固定部と、が共に形成されるようにしてもよい。
【００１８】
ファンアセンブリは、スライダの前方に配置されたスライダハンドルをさらに有するようにしてもよい。
【００１９】
スライダは、複数のファンモジュールのそれぞれが高さ調整可能に締結されるフロントボディと、フロントボディの後方に配置されたサイドボディと、サイドボディに回転可能に設けられて第２ガイドに沿って転動するローラと、を有するようにしてもよい。
【００２０】
本発明の一実施形態によるファンアセンブリを有する電力機器は、内部に空間が形成されたケースと、空間に配置された複数のモジュールと、複数のモジュールの上方に位置するように空間に配置され、複数のモジュールに空気を流動させるファンアセンブリと、を有し、ファンアセンブリは、垂直方向に長く配置されるようにケースに取り付けられた第１ガイドと、水平方向に長く配置されるように第１ガイドに高さ調整可能に取り付けられた第２ガイドと、第２ガイドに沿って水平方向に移動可能に取り付けられたスライダと、スライダに締結される複数のファンモジュールと、を有し、複数のファンモジュールは、複数のモジュールと１対１に対応し、複数のファンモジュールのそれぞれは、スライダに高さ調整可能に締結される。
【００２１】
複数のファンモジュールのそれぞれは、空気を上方に送風する複数のファンと、複数のファンが取り付けられたファンマウンタと、を有し、ファンマウンタは、スライダに高さ調整可能に締結される可変締結板を有するようにしてもよい。
【００２２】
ファンマウンタは、上下方向に中空部を有する複数のエアガイドと、複数のエアガイドが設置されて可変締結板に連結されたエアガイド設置板と、をさらに有するようにしてもよい。
【００２３】
可変締結板は垂直に配置され、エアガイド設置板は水平に配置されるようにしてもよい。
【００２４】
スライダは、可変締結板が高さ調整可能に締結されるフロントボディと、フロントボディの後方に配置されたサイドボディと、サイドボディに回転可能に設けられて第２ガイドに沿って転動するローラと、を有するようにしてもよい。
【００２５】
ファンアセンブリは、複数のファンモジュールのうち高さの高いファンモジュールの側方に配置されたサイドエアガイドをさらに有するようにしてもよい。
【００２６】
ファンアセンブリは、複数のファンモジュールのうち同じ高さのファンモジュール間の上方に配置され、少なくとも一部がサイドエアガイドから左右方向に離隔したアッパエアガイドをさらに有するようにしてもよい。
【００２７】
サイドエアガイドとアッパエアガイドとが平行に配置され、サイドエアガイドの空気案内面とアッパエアガイドの空気案内面とが対向して配置されるようにしてもよい。
【００２８】
スライダには、サイドエアガイドが固定されるサイドエアガイド固定部と、アッパエアガイドが固定されるアッパエアガイド固定部と、が共に形成されるようにしてもよい。
【００２９】
ファンアセンブリは、前方に突設されてスライダの前方に配置されたスライダハンドルをさらに有するようにしてもよい。
【発明の効果】
【００３０】
本発明の実施形態によれば、複数のファンモジュールの高さを共に調整することができるだけでなく、複数のファンモジュールのうち一部のファンモジュールの高さが他のファンモジュールの高さと異なるように調整することもでき、複数のファンモジュールを最適に配置することができ、複数のファンモジュールが放熱対象を効率よく放熱することができるという利点がある。
【００３１】
また、複数のファンモジュールのうち少なくとも１つの修理や交換のためのメンテナンスを行う際に、スライダを前後方向に移動させることにより、複数のファンモジュールの全てを前後方向に摺動させることができ、ファンモジュールのメンテナンスを容易に行うことができるという利点がある。
【００３２】
さらに、相対的に高さの低いファンモジュールから送風された空気がサイドエアガイドにより閉塞されて再び相対的に高さの低いファンモジュールに吸引されることを最小限に抑えることができ、複数のファンモジュールのそれぞれが空気を最適に送風することができるという利点がある。
【００３３】
さらに、スライダにサイドエアガイド固定部とアッパエアガイド固定部とを共に形成することにより、構造を簡単にすると共に部品点数を最小限に抑えることができるという利点がある。
【図面の簡単な説明】
【００３４】
【図１】本発明の一実施形態によるファンアセンブリが適用された太陽光電力変換装置の内部を示す斜視図である。
【図２】図１に示すファンアセンブリのファンモジュールが上昇した状態の斜視図である。
【図３】図１に示すファンアセンブリのファンモジュールが前方に引き出された状態の斜視図である。
【図４】本発明の一実施形態によるファンアセンブリが適用された太陽光電力変換装置を示す断面図である。
【図５】本発明の一実施形態によるファンアセンブリの複数のファンモジュールの全てが同じ高さに設置された状態を示す斜視図である。
【図６】図５に示す複数のファンモジュールのうちいずれかのファンモジュールが他のファンモジュールより高い位置に設置された状態を示す斜視図である。
【図７】本発明の一実施形態によるファンアセンブリの第２ガイドが第１ガイドに取り付けられた例を示す断面図である。
【図８】本発明の一実施形態によるファンアセンブリのファンモジュールがスライダに位置固定されて設けられた状態を示す拡大断面図である。
【図９】本発明の一実施形態によるファンアセンブリの複数のファンモジュールの全てが高い位置に設置された例を示す正面図である。
【図１０】本発明の一実施形態によるファンアセンブリの複数のファンモジュールの全てが低い位置に設置された例を示す正面図である。
【発明を実施するための形態】
【００３５】
以下、本発明の好ましい実施形態について添付図面を参照して詳細に説明する。
【００３６】
図１は本発明の一実施形態によるファンアセンブリが適用された太陽光電力変換装置の内部を示す斜視図であり、図２は図１に示すファンアセンブリのファンモジュールが上昇した状態の斜視図であり、図３は図１に示すファンアセンブリのファンモジュールが前方に引き出された状態の斜視図であり、図４は本発明の一実施形態によるファンアセンブリが適用された太陽光電力変換装置を示す断面図であり、図５は本発明の一実施形態によるファンアセンブリの複数のファンモジュールの全てが同じ高さに設置された状態を示す斜視図であり、図６は図５に示す複数のファンモジュールのうちいずれかのファンモジュールが他のファンモジュールより高い位置に設置された状態を示す斜視図であり、図７は本発明の一実施形態によるファンアセンブリの第２ガイドが第１ガイドに取り付けられた例を示す断面図であり、図８は本発明の一実施形態によるファンアセンブリのファンモジュールがスライダに位置固定されて設けられた状態を示す拡大断面図である。
【００３７】
太陽光電力変換装置は、内部に空間Ｓが形成されたケース１と、空間Ｓに配置された複数のモジュール２、３、４と、複数のモジュール２、３、４の上方に位置するように空間Ｓに配置され、複数のモジュール２、３、４に空気を流動させるファンアセンブリ５と、を含むようにしてもよい。
【００３８】
ケース１は、太陽光電力変換装置の外観を形成する。ケース１は、複数のパネル１１、１２、１３、１４、１５を含むようにしてもよい。複数のパネル１１、１２、１３、１４、１５は、ベースパネル１１と、１対のサイドパネル１２、１３と、リアパネル１４と、トップパネル１５と、を含むようにしてもよい。
【００３９】
太陽光電力変換装置は、空間Ｓを開閉するドア１８をさらに含むようにしてもよい。ドア１８は、ケース１に回転又は摺動可能に設けられて空間Ｓを開閉するようにしてもよい。
【００４０】
太陽光電力変換装置は、複数のパネル１１、１２、１３、１４、１５のいずれか１つに空気をケース１の内部に吸入するための空気吸入部が形成されるようにしてもよい。太陽光電力変換装置は、複数のパネル１１、１２、１３、１４、１５の他の１つに空気をケース１の外部に排出するための空気吐出部１７が形成されるようにしてもよい。ケース１は、ファンアセンブリ５により流動する空気の流路を形成する。
【００４１】
空気吐出部１７がトップパネル１５に形成された場合、ファンアセンブリ５から送風された空気は太陽光電力変換装置の上側から吐出される。この場合、空気吸入部は、トップパネル１５以外のパネル１１、１２、１３、１４に形成される。空気吸入部は、ベースパネル１１、１対のサイドパネル１２、１３及びリアパネル１４のいずれか１つに形成されてもよい。また、空気吸入部は、ドア１８に形成されてもよい。空気吸入部は、ファンアセンブリ５の駆動時に複数のモジュール２、３、４に最も効率的に空気が吸入される位置に形成されることが好ましい。空気吸入部がベースパネル１１に形成された場合、ベースパネル１１から吸入された空気は、複数のモジュール２、３、４に流入して複数のモジュール２、３、４を通過することにより複数のモジュール２、３、４を放熱し、複数のモジュール２、３、４の上方に配置されたファンアセンブリ５に吸引される。ファンアセンブリ５に吸引された空気は、ファンアセンブリ５を通過してファンアセンブリ５の上方に送風され、空気吐出部１７から吐出される。
【００４２】
複数のモジュール２、３、４は、太陽光電力変換装置の運転時に発熱し、ファンアセンブリ５により放熱される複数の放熱モジュールであってもよい。複数のモジュール２、３、４は、全てが同じ機能を有するようにしてもよく、一部のモジュールが他のモジュールとは異なる機能を有するようにしてもよい。
【００４３】
複数のモジュール２、３、４は、ファンアセンブリ５の下方に共に配置されてもよい。複数のモジュール２、３、４は、ファンアセンブリ５の高さ調整方向と直交する方向に順次配置されてもよい。ファンアセンブリ５の高さ調整方向は上下方向であり、複数のモジュール２、３、４は上下方向と直交する方向に順次配置されてもよい。複数のモジュール２、３、４は、図１〜図３に示すようにファンアセンブリ５の下方に左右方向に順次配置されてもよく、前後方向に順次配置されてもよい。複数のモジュール２、３、４は、ケース１の開放された前面から外部に露出し、出し入れできるように、左右方向に順次配置されることが好ましい。作業者はドア１８を開放して複数のモジュール２、３、４のそれぞれのメンテナンスを容易に行うことができる。
【００４４】
複数のモジュール２、３、４は、同じ構成のモジュールで構成されてもよい。複数のモジュール２、３、４のそれぞれは、その外観を形成するモジュールケース２１を含むようにしてもよい。
【００４５】
太陽光電力変換装置は、パワーエレクトロニクスビルディングブロック（PEBB: Power Electronic Building Block）をさらに含むようにしてもよい。太陽光電力変換装置は、太陽電池で生成された電力を変換する電力変換部をさらに含むようにしてもよい。電力変換部は、太陽電池に接続されたコンバータと、系統に連携するインバータと、を含むようにしてもよい。太陽光電力変換装置は、電力変換部を制御する制御部をさらに含むようにしてもよい。制御部は、太陽電池の出力電圧や出力電流を検出する検出器と、検出器の検出に応じて電力変換部を制御する制御器と、を含むようにしてもよい。太陽電池の出力電圧や出力電流を検出する検出器としては、ＩＧＢＴ（Insulated Gate Bipolar mode Transistor）２２を用いてもよい。太陽光電力変換装置は、ＩＧＢＴ２２が設けられたヒートシンク２３をさらに含むようにしてもよい。ヒートシンク２３は、ＩＧＢＴ２２の熱を吸熱する。太陽光電力変換装置は、太陽電池で発電された電力を蓄電するコンデンサ２４をさらに含むようにしてもよい。
【００４６】
太陽光電力変換装置においては、ＩＧＢＴ２２、ヒートシンク２３及びコンデンサ２４の少なくとも１つをモジュール化してモジュール２、３、４を構成してもよい。複数のモジュール２、３、４のそれぞれは、ＩＧＢＴ２２、ヒートシンク２３及びコンデンサ２４を含み、ＩＧＢＴ２２、ヒートシンク２３及びコンデンサ２４のそれぞれは、各モジュール２、３、４のモジュールケース２１の内部に配設されるようにしてもよい。
【００４７】
モジュールケース２１は、空気が通過する構造からなるようにしてもよい。モジュールケース２１の前面、背面及び下面の少なくとも一面には、空気がモジュールケース２１に流入するようにするための吸入口が形成されるようにしてもよい。モジュールケース２１には、内部を放熱した空気がモジュールケース２１の外部に排出するようにするための排出口が形成されるようにしてもよい。排出口は、モジュールケース２１においてファンアセンブリ５に対向する面に形成されてもよい。排出口がモジュールケース２１の上面に形成された場合、モジュールケース２１の内部を放熱した空気はモジュールケース２１の上面を通過してファンアセンブリ５に吸引される。
【００４８】
モジュールケース２１の内部に吸入されてＩＧＢＴ２２、ヒートシンク２３及びコンデンサ２４を放熱した空気は、モジュールケース２１の排出口からモジュールケース２１とファンアセンブリ５との間に流動し、モジュールケース２１とファンアセンブリ５との間からファンアセンブリ５に吸引される。
【００４９】
ファンアセンブリ５は、複数のモジュール２、３、４の上方に位置するようにケース１に設けられ、複数のモジュール２、３、４は、１つのファンアセンブリ５により放熱されるようにしてもよい。ファンアセンブリ５が駆動されると、空気は、複数のモジュール２、３、４に分散して流入して複数のモジュール２、３、４を放熱し、複数のモジュール２、３、４のそれぞれから排出された空気は、ファンアセンブリ５を介して空気吐出部１７から吐出される。
【００５０】
ファンアセンブリ５は、第１ガイド５０と、第１ガイド５０に取り付けられて垂直方向に高さ調整可能な第２ガイド６０と、第２ガイド６０に沿って水平方向に移動可能に取り付けられたスライダ７０と、スライダ７０に締結される複数のファンモジュール８１、８２、８３と、を含むようにしてもよい。
【００５１】
第１ガイド５０は、ケース１に垂直方向に長く配置されてもよい。第１ガイド５０は、１つ以上の垂直ガイド５１、５２、５３、５４を含むようにしてもよい。
【００５２】
第１ガイド５０は、左右方向に離隔した１対以上の左右側垂直ガイドを含むようにしてもよい。左右側垂直ガイドは、ケース１の内部において前後方向にそれぞれ配置されてもよい。第１ガイド５０は、４つの垂直ガイドを含むようにしてもよい。
【００５３】
第１ガイド５０は、１対のサイドパネル１２、１３に設けられてもよい。
【００５４】
第１ガイド５０は、１対のサイドパネル１２、１３のうち左側パネル１２に設けられた左側フロント垂直ガイド５１と、１対のサイドパネル１２、１３のうち右側パネル１３に設けられた右側フロント垂直ガイド５２と、を含むようにしてもよい。左側フロント垂直ガイド５１と右側フロント垂直ガイド５２とは、左右方向に離隔して設けられてもよい。
【００５５】
第１ガイド５０は、左側フロント垂直ガイド５１の後方に配置されるように左側パネル１２に設けられた左側リア垂直ガイド５３と、右側フロント垂直ガイド５２の後方に配置されるように右側パネル１３に設けられた右側リア垂直ガイド５４と、をさらに含むようにしてもよい。
【００５６】
左側フロント垂直ガイド５１、右側フロント垂直ガイド５２、左側リア垂直ガイド５３及び右側リア垂直ガイド５４は、その構成を全て同一にし、設置位置のみ異なるようにしてもよい。
【００５７】
以下、複数の垂直ガイドを説明するにあたって、複数の垂直ガイドを分けて説明する際には左側フロント垂直ガイド５１、右側フロント垂直ガイド５２、左側リア垂直ガイド５３、右側リア垂直ガイド５４といい、複数の垂直ガイドの共通の構成を説明する際には第１ガイド５０という。
【００５８】
第１ガイド５０は、複数のモジュール２、３、４の上方において第２ガイド６０を支持するための第２ガイドサポータであってもよい。第１ガイド５０は、第２ガイド６０、スライダ７０及び複数のファンモジュール８１、８２、８３を、複数のモジュール２、３、４から離隔させて固定するようにしてもよい。
【００５９】
第１ガイド５０は、第２ガイド６０を固定する固定部を含むようにしてもよい。固定部は、第１ガイド５０に複数備えられてもよい。複数の固定部は、第１ガイド５０において異なる高さに形成されてもよい。第１ガイド５０は、第２ガイド６０を高さ調整可能に取り付けるための第２ガイドマウンタであってもよい。
【００６０】
第２ガイド６０は、第１ガイド５０に固定されてその高さが決定されるようにしてもよい。第２ガイド６０が複数の固定部のいずれか１つに選択的に固定されるようにする場合、第２ガイド６０が固定される固定部の高さによってスライダ７０及び複数のファンモジュール８１、８２、８３の高さも決定される。
【００６１】
例えば、第１ガイド５０に３つの固定部が備えられた場合、３つの固定部は、上下方向に離隔して配置されるようにしてもよい。３つの固定部は、上下方向に離隔して配置された上側固定部と、中央固定部と、下側固定部と、からなるようにしてもよい。
【００６２】
第２ガイド６０が第１ガイド５０の上方に備えられた上側固定部に固定された場合、複数のファンモジュール８１、８２、８３は、ケース１の内部の上方に配置される。第２ガイド６０が上側固定部に固定された場合、複数のファンモジュール８１、８２、８３は、第２ガイド６０が中央固定部又は下側固定部に固定された場合より高い位置に配置される。この場合、複数のファンモジュール８１、８２、８３は、図１〜図４に示す複数のモジュール２、３、４から最も遠い位置にある。
【００６３】
第２ガイド６０が第１ガイド５０の下方に備えられた下側固定部に固定された場合、複数のファンモジュール８１、８２、８３は、ケース１の内部の下方に配置される。第２ガイド６０が下側固定部に固定された場合、複数のファンモジュール８１、８２、８３は、第２ガイド６０が上側固定部又は中央固定部に固定された場合より低い位置に配置される。この場合、複数のファンモジュール８１、８２、８３は、図１〜図４に示す複数のモジュール２、３、４に最も近い位置にある。
【００６４】
第２ガイド６０が上側固定部と下側固定部との間に備えられた中央固定部に固定された場合、複数のファンモジュール８１、８２、８３は、ケース１の内部の中間の高さに配置される。第２ガイド６０が中央固定部に固定された場合、複数のファンモジュール８１、８２、８３は、第２ガイド６０が上側固定部に固定された場合よりは低い位置に配置され、第２ガイド６０が下側固定部に固定された場合よりは高い位置に配置される。
【００６５】
説明の便宜上、固定部が３つの場合を例に挙げて説明しているが、第１ガイド５０に備えられる固定部の数は３つに限定されるものではなく、２つでも４つ以上でもよいことは言うまでもない。
【００６６】
図７に示すように、第２ガイド６０は様々な方式で第１ガイド５０に固定することができる。
【００６７】
第１ガイド５０に第２ガイド６０を固定する一例として、図７の（ａ）に示すように、ピンやボルト及びナットなどの締結部材６３ａを用いてもよい。
【００６８】
第１ガイド５０に貫通孔６３ｂを形成し、第２ガイド６０に貫通孔６３ｃを形成し、第１ガイド５０の貫通孔６３ｂと第２ガイド６０の貫通孔６３ｃとにピンやボルト及びナットなどの締結部材６３ａを貫通させて配置することにより、第１ガイド５０に第２ガイド６０を固定する。締結部材６３ａは、サイドパネル１２に形成された貫通孔６３ｄを共に貫通するように配置してもよいことは言うまでもない。
【００６９】
この場合、複数の貫通孔６３ｂを第１ガイド５０の異なる高さに形成してもよく、また、複数の貫通孔６３ｂを上下方向に離隔して形成してもよい。第１ガイド５０に形成された複数の貫通孔６３ｂは、第１ガイド５０に第２ガイド６０を高さ調整可能に固定する複数の固定部を構成することができる。
【００７０】
作業者が第１ガイド５０の複数の貫通孔６３ｂのうち相対的に高い位置の貫通孔６３ｂと第２ガイド６０の貫通孔６３ｃとに締結部材６３ａを貫通させて配置すると、スライダ７０及び複数のファンモジュール８１、８２、８３は、モジュール２、３、４から相対的に遠い位置に配置されることになる。
【００７１】
それに対して、作業者が第１ガイド５０の複数の貫通孔６３ｂのうち相対的に低い位置の貫通孔６３ｂと第２ガイド６０の貫通孔６３ｃとに締結部材６３ａを貫通させて配置すると、スライダ７０及び複数のファンモジュール８１、８２、８３は、モジュール２、３、４に相対的に近い位置に配置されることになる。
【００７２】
第１ガイド５０に形成された複数の貫通孔６３ｂは、第１ガイド５０に第２ガイド６０を高さ調整可能に固定する複数の固定部を構成することができる。
【００７３】
第１ガイド５０に第２ガイド６０を固定する他の例として、図７の（ｂ）に示すように、第２ガイド６０の一部６４ａを支持する支持部６４ｂを第１ガイド６０に着脱可能に設けてもよい。支持部６４ｂは、第２ガイド６０の一部６４ａが載置される板状体で構成されてもよい。この場合、第１ガイド６０には支持部６４ｂが挿入されて支持される支持部挿入孔６４ｃを形成してもよく、また、複数の支持部挿入孔６４ｃを第１ガイド５０の異なる高さに形成してもよい。
【００７４】
作業者が複数の支持部挿入孔６４ｃのうち所望の第２ガイド６０の高さに対応する支持部挿入孔６４ｃに支持部６４ｂを挿入することにより、第２ガイド６０の一部６４ａを支持部６４ｂ上に載置することができ、第１ガイド５０に第２ガイド６０を固定することができる。この場合、第２ガイド６０は、支持部６４ｂ上に載置された状態でその位置が決定される。
【００７５】
第１ガイド５０に形成された複数の支持部挿入孔６４ｃは、第１ガイド５０に第２ガイド６０を高さ調整可能に固定する複数の固定部を構成することができる。
【００７６】
第１ガイド５０に第２ガイド６０を固定するさらに他の例として、図７の（ｃ）に示すように、第１ガイド５０及び第２ガイド６０のうちいずれか一方に形成された突起６５ａを他方に形成された突起収容部６５ｂに挿入することにより、第１ガイド５０に第２ガイド６０が固定されるようにしてもよい。第１ガイド５０に突起６５ａが形成される場合は、複数の突起６５ａが第１ガイド５０の異なる高さに形成されるようにしてもよい。第１ガイド５０に突起収容部６５ｂが形成される場合は、複数の突起収容部６５ｂが第１ガイド５０の異なる高さに形成されるようにしてもよい。
【００７７】
突起収容部６５ｂは、様々な形状に形成することができる。突起６５ａ及び突起収容部６５ｂの一例として、第２ガイド６０に突起６５ａが突設され、第１ガイド５０に断面倒立Ｌ字状の突起収容部６５ｂが形成された場合、突起６５ａは、突起収容部６５ｂの水平な部分に沿って前後方向に案内され、突起収容部６５ｂの垂直な部分に沿って上下方向に案内され、突起収容部６５ｂの垂直な部分の下端６５ｃに載置される。突起６５ａが突起収容部６５ｂの垂直な部分の下端６５ｃに載置されると第２ガイド６０の高さが決定される。この場合、突起収容部６５ｂにおいて下端６５ｃより高い位置には、突起６５ａを出し入れする際に突起６５ａが乗り越えることができ、かつ突起６５ａが突起収容部６５ｂの下端６５ｃに載置されたときに突起６５ａの揺動や不意の脱落を防止することができる係止片６５ｄが形成されるようにしてもよい。
【００７８】
複数の突起６５ａ又は複数の突起収容部６５ｂは、第１ガイド５０に第２ガイド６０を高さ調整可能に固定する複数の固定部を構成することができる。
【００７９】
前述したように、第２ガイド６０は様々な方式で第１ガイド５０に高さ調整可能に固定することができるが、本発明が前述した固定例に限定されるものではないことは言うまでもない。
【００８０】
第２ガイド６０は、第１ガイド５０に位置固定されて支持された状態でスライダ７０の前後方向の摺動を案内する。
【００８１】
第２ガイド６０は、１対の水平ガイド６１、６２を含むようにしてもよい。１対の水平ガイド６１、６２は、左側水平ガイド６１と、右側水平ガイド６２と、からなるようにしてもよい。左側水平ガイド６１及び右側水平ガイド６２は、第１ガイド５０にその高さが同一になるように固定されてもよい。左側水平ガイド６１及び右側水平ガイド６２は、左右方向に離隔して配置されてもよい。
【００８２】
左側水平ガイド６１及び右側水平ガイド６２は、その構成を同一にし、設置位置のみ異なるようにしてもよい。
【００８３】
以下、１対の水平ガイド６１、６２を説明するにあたって、１対の水平ガイド６１、６２を分けて説明する際には左側水平ガイド６１、右側水平ガイド６２といい、１対の水平ガイド６１、６２の共通の構成を説明する際には第２ガイド６０という。
【００８４】
第２ガイド６０は、断面コ字状に形成されてもよい。左側水平ガイド６１と右側水平ガイド６２とは、互いに対向する面が開放された形状を有するようにしてもよい。
【００８５】
左側水平ガイド６１は、右側面が開放され、左側板と、左側板の上端から折り曲げられた上板と、左側板の下端から折り曲げられた下板と、を含むようにしてもよい。
【００８６】
右側水平ガイド６２は、左側面が開放され、右側板と、右側板の上端から折り曲げられた上板と、右側板の下端から折り曲げられた下板と、を含むようにしてもよい。
【００８７】
第２ガイド６０は、ケース１の空間Ｓに前後方向に長く配置された状態でスライダ７０の前後方向の移動を案内する。
【００８８】
スライダ７０は、フロントボディ７１と、フロントボディ７１の後方に配置されたサイドボディ７２、７３と、を含むようにしてもよい。スライダ７０は、サイドボディ７２、７３の後方部に連結されたリアボディ７４をさらに含むようにしてもよい。
【００８９】
スライダ７０は、フロントボディ７１、サイドボディ７２、７３及びリアボディ７４を全て含む場合、その内側に複数のファンモジュール８１、８２、８３が共に収容される空間が形成されるようにしてもよい。
【００９０】
フロントボディ７１は、その上下方向の幅を後述するファン９１、９２、９３の上下方向の幅より長くし、ファン９１、９２、９３からファン９１、９２、９３の上方に送風された空気が、フロントボディ７１を越えて複数のモジュール２、３、４に逆流することが防止されるようにしてもよい。すなわち、フロントボディ７１は、ファン９１、９２、９３からファン９１、９２、９３の上方に送風された空気を上方に案内するエアガイドとして機能することができる。
【００９１】
サイドボディ７２、７３は、左側ボディ７２と、左側ボディ７２から離隔して配置される右側ボディ７３と、を含むようにしてもよい。
【００９２】
左側ボディ７２は、前端がフロントボディ７１に連結され、後端がリアボディ７４に連結されるようにしてもよい。
【００９３】
右側ボディ７３は、前端がフロントボディ７１に連結され、後端がリアボディ７４に連結されるようにしてもよい。
【００９４】
スライダ７０は、サイドボディ７２、７３に回転可能に設けられて第２ガイド６０に沿って転動するローラ７５をさらに含むようにしてもよい。ローラ７５は、左側ボディ７２及び右側ボディ７３のそれぞれに回転可能に設けられるようにしてもよい。左側ボディ７２及び右側ボディ７３のそれぞれには、複数のローラ７５が前後方向に離隔して設けられるようにしてもよい。
【００９５】
ファンアセンブリ５は、スライダ７０の前方に配置されたスライダハンドル７６をさらに含むようにしてもよい。ファンアセンブリ５は、複数のファンモジュール８１、８２、８３のメンテナンスなどのために、図３に示すように、スライダ７０の全部又は一部をケース１の空間Ｓの前方に引き出すことができる。スライダ７０が前方に引き出された場合、複数のファンモジュール８１、８２、８３のそれぞれは少なくとも一部がケース１の外部に引き出され、作業者は、ケース１の外部に引き出された複数のファンモジュール８１、８２、８３の上方又は下方から複数のファンモジュール８１、８２、８３のメンテナンスを行うことができる。作業者は、複数のファンモジュール８１、８２、８３のメンテナンスなどのために複数のモジュール２、３、４を外部に取り出すことなく、複数のファンモジュール８１、８２、８３のメンテナンスなどをより容易に行うことができる。
【００９６】
メンテナンスなどが完了すると、作業者は、スライダ７０をケース１の空間Ｓに押し込み、複数のファンモジュール８１、８２、８３がケース１の空間Ｓに収容されて複数のモジュール２、３、４の上方に配置されるようにする。
【００９７】
スライダハンドル７６は、スライダ７０を進退させる際に作業者が握る取っ手であってもよい。スライダハンドル７６は、スライダ７０のフロントボディ７１に備えられてもよい。
【００９８】
スライダハンドル７６は、スライダ７０のフロントボディ７１から前方に突出するように備えられてもよい。スライダハンドル７６は、両端がスライダ７０のフロントボディ７１に連結され、中間部がスライダ７０のフロントボディ７１の前方に位置する突出取っ手で構成されてもよい。
【００９９】
スライダハンドル７６は、スライダ７０に凹んで形成された溝部で構成されてもよく、作業者が把持できる構成であればその形状に制限がないことは言うまでもない。
【０１００】
複数のファンモジュール８１、８２、８３のそれぞれは、スライダ７０に高さ調整可能に締結されるようにしてもよい。複数のファンモジュール８１、８２、８３は、同じ構造で構成され、その位置のみ異なるようにしてもよい。
【０１０１】
複数のファンモジュール８１、８２、８３は、３つ備えられる場合、最も左側に配置される第１ファンモジュール８１と、第１ファンモジュール８１の右側に配置される第２ファンモジュール８２と、第２ファンモジュール８２の右側に配置される第３ファンモジュール８３と、を含むようにしてもよい。第１ファンモジュール８１、第２ファンモジュール８２及び第３ファンモジュール８３は、同じ構造で構成され、その位置のみ異なるようにしてもよい。
【０１０２】
複数のファンモジュール８１、８２、８３は、複数のモジュール２、３、４の数に対応して備えられるようにしてもよい。すなわち、ファンモジュール８１、８２、８３は、モジュール２、３、４毎に１つずつ備えられるようにしてもよい。複数のファンモジュール８１、８２、８３は、複数のモジュール２、３、４と１対１に対応するようにしてもよい。
【０１０３】
例えば、複数のモジュール２、３、４が３つ備えられた場合、複数のファンモジュール８１、８２、８３も３つ備えられるようにする。
【０１０４】
複数のモジュール２、３、４は、最も左側に配置される第１モジュール２と、第１モジュール２の右側に配置される第２モジュール３と、第２モジュール３の右側に配置される第３モジュール４と、を含むようにしてもよい。
【０１０５】
この場合、第１ファンモジュール８１は、第１モジュール２の上方に配置され、かつその設置高さを変更できるようにスライダ７０に取り付けられてもよい。
【０１０６】
また、第２ファンモジュール８２は、第２モジュール３の上方に配置され、かつその設置高さを変更できるようにスライダ７０に取り付けられてもよい。
【０１０７】
さらに、第３ファンモジュール８３は、第３モジュール４の上方に配置され、かつその設置高さを変更できるようにスライダ７０に取り付けられてもよい。
【０１０８】
複数のファンモジュール８１、８２、８３のそれぞれは、複数のファン９１、９２、９３と、複数のファン９１、９２、９３が平行な方向に空気を送風するように取り付けられたファンマウンタ１００と、を含むようにしてもよい。複数のファンモジュール８１、８２、８３のそれぞれは、ファンマウンタ１００が取り付けられる高さによって複数のファン９１、９２、９３の高さ（すなわち、複数のモジュール２、３、４との距離）が決定される。
【０１０９】
ここで、複数のファン９１、９２、９３のそれぞれは、回転して空気を流動させるブロワと、ブロワを回転させるモータと、を含むようにしてもよい。ブロワは軸流ファンのブロワで構成されてもよく、モータはブロワを回転させる回転軸が上下方向に長く配置されたものにしてもよく、ブロワはモータの回転により空気を上下方向に流動させるようにしてもよい。
【０１１０】
複数のファンモジュール８１、８２、８３は、ケース１の内部に左右方向に順次配置され、複数のファンモジュール８１、８２、８３のそれぞれは、複数のファン９１、９２、９３が前後方向に順次配置されるようにしてもよい。
【０１１１】
１つのファンアセンブリ５が３つのファンモジュール８１、８２、８３を含み、ファンモジュール８１、８２、８３のそれぞれが３つのファン９１、９２、９３を含む場合、１つのファンアセンブリ５は計９つのファン９１、９２、９３を含む。この場合、１つのファンアセンブリ５は、３行３列に配置された９つのファン９１、９２、９３がそれぞれ空気を吸引して上方に送風するようにしてもよい。
【０１１２】
ファンアセンブリ５は、複数のファンモジュール８１、８２、８３のうちいずれかのファンモジュールの位置を他のファンモジュールより高い位置に変更した場合、相対的に高い位置のファンモジュールのファン９１、９２、９３と相対的に低い位置のファンモジュールのファン９１、９２、９３とにより、それぞれの下方に配置されたモジュール２、３、４が放熱される程度を変えることができる。
【０１１３】
ファンマウンタ１００は、スライダ７０に高さ調整可能に締結される可変締結板１０２を含むようにしてもよい。可変締結板１０２は、上下方向に所定の高さを有する板状体で構成されてもよい。可変締結板１０２は、スライダ７０の少なくとも一部と前後方向に対向するように締結されてもよい。可変締結板１０２は、スライダ７０のフロントボディ７１に高さ調整可能に締結されてもよい。
【０１１４】
ファンマウンタ１００は、複数のエアガイド１１１、１１２、１１３と、複数のエアガイド１１１、１１２、１１３が設置されて可変締結板１０２に連結されたエアガイド設置板１２０と、をさらに含むようにしてもよい。
【０１１５】
複数のエアガイド１１１、１１２、１１３は、エアガイド設置板１２０に前後方向に順次配置されてもよい。複数のエアガイド１１１、１１２、１１３のそれぞれは、下方の空気が上方に吐出されるように、上下方向に中空部を有する形状に形成されてもよい。
【０１１６】
エアガイド設置板１２０は、可変締結板１０２と直交するようにしてもよい。可変締結板１０２は、エアガイド設置板１２０の前端又は後端から下方に折り曲げられてエアガイド設置板１２０と直交するようにしてもよい。エアガイド設置板１２０の前端に形成された可変締結板１０２は、スライダ７０のフロントボディ７１に高さ調整可能に締結され、エアガイド設置板１２０の後端に形成された可変締結板１０２は、スライダ７０のリアボディ７４に高さ調整可能に締結されるようにしてもよい。
【０１１７】
可変締結板１０２は、垂直に配置されるようにスライダ７０に締結され、エアガイド設置板１２０は、可変締結板１０２の垂直配置により水平に配置される。可変締結板１０２は、前面及び背面のうちの一面がスライダ７０と前後方向に対向する面であり、他面が複数のファンに流動する空気を案内する空気案内面であってもよい。
【０１１８】
１つのファンモジュールを構成する複数のファン９１、９２、９３は、同じ高さで平行な方向に空気を送風するようにしてもよい。
【０１１９】
ファンアセンブリ５は、複数のファンモジュール８１、８２、８３のうち高さの高いファンモジュールの側方に配置されたサイドエアガイド１３０をさらに含むようにしてもよい。
【０１２０】
サイドエアガイド１３０は、相対的に高さの低いファンモジュールから上方に送風された空気が相対的に高さの高いファンモジュール８１の下方に吸引されることを防止するように配置されてもよい。複数のファンモジュール８１、８２、８３のうち相対的に高さの低いファンモジュールから上方に送風された空気は、サイドエアガイド１３０により閉塞されて側方に向かわず、サイドエアガイド１３０に案内されて上方に送風される。
【０１２１】
サイドエアガイド１３０は、一側面及び他側面がどちらも空気を案内する空気案内面であってもよい。サイドエアガイド１３０は、一側面及び他側面のいずれか一方の面が高さの高いファンモジュールに吸入される空気を案内する吸入案内面であり、かつ他方の面が高さの低いファンモジュールから送風された空気を案内する吐出案内面であってもよい。
【０１２２】
ファンアセンブリ５は、複数のファンモジュール８１、８２、８３のうち同じ高さのファンモジュール間の上方に配置されたアッパエアガイド１４０をさらに含むようにしてもよい。
【０１２３】
アッパエアガイド１４０は、同じ高さのファンモジュールからそれぞれ送風された空気が上方に案内されるように配置されてもよい。
【０１２４】
サイドエアガイド１３０の上端は、アッパエアガイド１４０の上端より高い位置に配置されてもよい。
【０１２５】
サイドエアガイド１３０及びアッパエアガイド１４０はそれぞれ垂直に配置され、サイドエアガイド１３０とアッパエアガイド１４０とは平行に配置されるようにしてもよい。アッパエアガイド１４０は、少なくとも一部がサイドエアガイド１３０から左右方向に離隔している。
【０１２６】
サイドエアガイド１３０及びアッパエアガイド１４０は、それぞれ空気を案内する空気案内面を有するようにしてもよい。また、サイドエアガイド１３０の空気案内面とアッパエアガイド１４０の空気案内面とは対向するようにしてもよい。
【０１２７】
サイドエアガイド１３０及びアッパエアガイド１４０は、それぞれスライダ７０のフロントボディ７１と直交する方向に配置されてもよい。また、サイドエアガイド１３０の前端はフロントボディ７１に固定され、サイドエアガイド１３０の後端はリアボディ７４に固定されるようにしてもよい。
【０１２８】
サイドエアガイド１３０とアッパエアガイド１４０とはスライダ７０に共に固定されるようにしてもよい。スライダ７０には、サイドエアガイド１３０が固定されるサイドエアガイド固定部７８と、アッパエアガイド１４０が固定されるアッパエアガイド固定部７９と、が共に形成されるようにしてもよい。
【０１２９】
スライダ７０に形成されたサイドエアガイド固定部７８は、サイドエアガイド１３０の前端が挿入されて嵌合される挿入溝で構成されてもよく、スライダ７０に形成されたアッパエアガイド固定部７９は、アッパエアガイド１４０の前端が挿入されて嵌合される挿入溝で構成されてもよい。
【０１３０】
スライダ７０には、複数のファンモジュール８１、８２、８３がそれぞれ締結されるスライダ締結部が形成されるようにしてもよい。スライダ締結部は、ファンモジュール８１、８２、８３にそれぞれ対応するように備えられてもよい。スライダ締結部は、フロントボディ７１及びリアボディ７４の少なくとも一方に形成される。
【０１３１】
また、複数のファンモジュール８１、８２、８３のそれぞれには、スライダ７０に締結されるファンモジュール締結部が形成されるようにしてもよい。
【０１３２】
スライダ締結部及びファンモジュール締結部は、ボルト及びナットなどで構成された締結部材が貫通して配置される貫通孔であってもよい。また、締結部材は、スライダ締結部及びファンモジュール締結部を貫通して配置され、スライダ７０とファンモジュール８１、８２、８３とを締結するようにしてもよい。
【０１３３】
スライダ締結部及びファンモジュール締結部の少なくとも一方は、１つのファンモジュール毎に複数備えられてもよい。
【０１３４】
ファンアセンブリ５は、１つのファンモジュール毎に複数のスライダ締結部が備えられてもよく、また、１つのファンモジュールに複数のファンモジュール締結部が備えられてもよい。
【０１３５】
以下、スライダに複数のスライダ締結部が備えられた場合について説明する。
【０１３６】
より具体的には、１つのファンアセンブリ５が第１ファンモジュール８１、第２ファンモジュール８２及び第３ファンモジュール８３を含み、１つのファンモジュール毎に３つのスライダ締結部が備えられた場合、すなわちスライダ７０に９つのスライダ締結部が形成された例を説明する。
【０１３７】
スライダ７０は、第１ファンモジュール８１をスライダ７０の低い位置に締結するための第１ロア締結部と、第１ファンモジュール８１をスライダ７０の高い位置に締結するための第１アッパ締結部と、第１ロア締結部と第１アッパ締結部との間に形成された第１センタ締結部と、を含むようにしてもよい。この場合、第１ファンモジュール８１は、第１ロア締結部、第１アッパ締結部及び第１センタ締結部のいずれかにボルト及びナットなどの締結部材で締結される。
【０１３８】
スライダ７０は、第２ファンモジュール８２をスライダ７０の低い位置に締結するための第２ロア締結部と、第２ファンモジュール８２をスライダ７０の高い位置に締結するための第２アッパ締結部と、第２ロア締結部と第２アッパ締結部との間に形成された第２センタ締結部と、を含むようにしてもよい。この場合、第２ファンモジュール８２は、第２ロア締結部、第２アッパ締結部及び第２センタ締結部のいずれかにボルト及びナットなどの締結部材で締結される。
【０１３９】
スライダ７０は、第３ファンモジュール８３をスライダ７０の低い位置に締結するための第３ロア締結部と、第３ファンモジュール８３をスライダ７０の高い位置に締結するための第３アッパ締結部と、第３ロア締結部と第３アッパ締結部との間に形成された第３センタ締結部と、を含むようにしてもよい。この場合、第３ファンモジュール８３は、第３ロア締結部、第３アッパ締結部及び第３センタ締結部のいずれかにボルト及びナットなどの締結部材で締結される。
【０１４０】
第１ロア締結部、第２ロア締結部及び第３ロア締結部は、スライダ７０に同じ高さで形成されてもよい。また、第１センタ締結部、第２センタ締結部及び第３センタ締結部も、スライダ７０に同じ高さで形成されてもよい。さらに、第１アッパ締結部、第２アッパ締結部及び第３アッパ締結部も、スライダ７０に同じ高さで形成されてもよい。
【０１４１】
第１ファンモジュール８１が第１ロア締結部に締結され、第２ファンモジュール８２が第２ロア締結部に締結され、第３ファンモジュール８３が第３ロア締結部に締結された場合、第１ファンモジュール８１、第２ファンモジュール８２及び第３ファンモジュール８３は、同じ高さに設置される。
【０１４２】
また、第１ファンモジュール８１が第１センタ締結部に締結され、第２ファンモジュール８２が第２ロア締結部に締結され、第３ファンモジュール８３が第３ロア締結部に締結された場合、第１ファンモジュール８１は第２ファンモジュール８２及び第３ファンモジュール８３より相対的に高い位置に設置される。
【０１４３】
さらに、第１ファンモジュール８１が第１アッパ締結部に締結され、第２ファンモジュール８２が第２センタ締結部に締結され、第３ファンモジュール８３が第３ロア締結部に締結された場合、第２ファンモジュール８２は第１ファンモジュール８１より相対的に低い位置に設置されて第３ファンモジュール８３より相対的に高い位置に設置される。この場合、第１ファンモジュール８１、第２ファンモジュール８２及び第３ファンモジュール８３は、スライダ７０に異なる高さで設置される。
【０１４４】
一方、本発明は、前述したファンモジュール８１、８２、８３の設置例に限定されるものではなく、様々な組み合わせの設置例が可能であるが、ここでは重複を避けるためにその説明を省略する。
【０１４５】
以下、ファンモジュールに複数のファンモジュール締結部が備えられた場合について図８を参照して説明する。
【０１４６】
ファンモジュール８１、８２、８３のファンマウンタ１００、とりわけ可変締結板１０２には、複数のファンモジュール締結部が異なる高さに形成されてもよい。複数のファンモジュール締結部は、可変締結板１０２に上下方向に離隔して形成されてもよい。可変締結板１０２には、スライダ７０に形成されたスライダ締結部７７より多くのファンモジュール締結部が形成されてもよい。
【０１４７】
スライダ７０と可変締結板１０２とは、複数のファンモジュール締結部のいずれか１つとスライダ締結部７７とを貫通して配置される締結部材により締結されるようにしてもよい。
【０１４８】
例えば、スライダ７０には１つのスライダ締結部７７が形成され、ファンモジュール８１、８２、８３にはそれぞれ２つ又は３つ以上のファンモジュール締結部が形成されるようにしてもよい。
【０１４９】
以下、ファンモジュール８１、８２、８３にそれぞれ３つのファンモジュール締結部１０３、１０４、１０５が形成された例を説明する。
【０１５０】
ファンモジュール８１、８２、８３のファンマウンタ１００、とりわけ可変締結板１０２には、３つのファンモジュール締結部１０３、１０４、１０５が異なる高さに形成されてもよい。３つのファンモジュール締結部１０３、１０４、１０５は、可変締結板１０２に上下方向に離隔して形成されてもよい。
【０１５１】
可変締結板１０２には、ファンモジュールの高さが最も高くなるようにスライダ７０にファンモジュールを締結するためのロアファンモジュール締結部１０３と、ファンモジュールの高さが最も低くなるようにスライダ７０にファンモジュールを締結するためにロアファンモジュール締結部１０３より高い位置に形成されたアッパファンモジュール締結部１０５と、ロアファンモジュール締結部１０３とアッパファンモジュール締結部１０５との間に形成されたセンタファンモジュール締結部１０４と、が形成されてもよい。
【０１５２】
ロアファンモジュール締結部１０３、センタファンモジュール締結部１０４及びアッパファンモジュール締結部１０５は、可変締結板１０２に上下方向に離隔して形成されてもよい。
【０１５３】
ファンモジュールを複数のファンの高さが最も高くなるように設置する場合、ロアファンモジュール締結部１０３をスライダ締結部７７と前後方向に一致させた状態でボルト及びナットなどの締結部材１０６、１０７により可変締結板１０２をスライダ７０に締結する。
【０１５４】
また、ファンモジュールを複数のファンの高さが最も低くなるように設置する場合、アッパファンモジュール締結部１０５をスライダ締結部７７と前後方向に一致させた状態でボルト及びナットなどの締結部材１０６、１０７により可変締結板１０２をスライダ７０に締結する。
【０１５５】
さらに、ファンモジュールを複数のファンの高さが中間の高さとなるように設置する場合、センタファンモジュール締結部１０４をスライダ締結部７７と前後方向に一致させた状態でボルト及びナットなどの締結部材１０６、１０７により可変締結板１０２をスライダ７０に締結する。
【０１５６】
図９は本発明の一実施形態によるファンアセンブリの複数のファンモジュールの全てが高い位置に設置された例を示す正面図であり、図１０は本発明の一実施形態によるファンアセンブリの複数のファンモジュールの全てが低い位置に設置された例を示す正面図である。
【０１５７】
図９の（ａ）は、スライダ７０が高い位置に配置されるように第２ガイド６０を第１ガイド５０に取り付け、複数のファンモジュール８１、８２、８３の全てをスライダ７０の高い位置に設置した例を示す。また、図９の（ｂ）は、放熱量を増加させる（放熱量が増加する、より大きい）モジュール２、３の上方に配置されたファンモジュール８１、８２を図９の（ａ）の例より低い位置に設置した例を示す。
【０１５８】
複数のモジュール２、３、４はその運転によって温度が異なり、複数のモジュール２、３、４の一部の温度が基準値以上に高くなることがある。そこで、作業者は、図９の（ｂ）に示すように、温度が基準値以上に高くなったモジュール２、３の上方に配置されたファンモジュール８１、８２の設置位置を低い位置に変更する。
【０１５９】
この場合、図９の（ｂ）に示すように設置位置が低い位置に変更されたファンモジュール８１、８２は、図９の（ａ）の場合よりも、その下方に配置されたモジュール２、３に多量の空気を迅速に吸引させ、設置位置が低い位置に変更されたファンモジュール８１、８２の下方に配置されたモジュール２、３の放熱性能を向上させることができる。すなわち、温度が基準値以上に高くなったモジュール２、３の温度は、設置位置が低い位置に変更されたファンモジュール８１、８２により基準値未満に下がる。
【０１６０】
図１０の（ａ）は、スライダ７０が低い位置に配置されるように第２ガイド６０を第１ガイド５０に取り付け、複数のファンモジュール８１、８２、８３の全てをスライダ７０の低い位置に設置した例を示す。また、図１０の（ｂ）は、放熱性能が相対的に高いモジュール４の上方に配置されたファンモジュール８３を図１０の（ａ）より高い位置に設置した例を示す。
【０１６１】
複数のファンモジュール８１、８２、８３が図１０の（ａ）及び（ｂ）に示すように設置された場合は、図９の（ａ）及び（ｂ）に示すように設置された場合よりも、複数のモジュール２、３、４に多量の空気をさらに迅速に流動させることができる。
【０１６２】
ファンアセンブリ５は、図１０の（ａ）に示すように設置された状態で、複数のモジュール２、３、４が共に運転されるようにすることができ、その運転によって複数のモジュール２、３、４の温度が異なる。例えば、複数のモジュール２、３、４のうちモジュール２、３の温度がモジュール上限温度以上に過度に高くなった場合、作業者は、過度に温度が高いモジュール２、３に供給される空気量が増加し、相対的に温度が低いモジュール４に供給される空気量が減少するように、相対的に温度が低いモジュール４の上方に配置されたファンモジュール８３の設置位置を高い位置に変更する。
【０１６３】
すると、相対的に温度が低いモジュール４と高い位置に配置されたファンモジュール８３との間の距離が長くなり、太陽光電力変換装置に吸引された空気は、低い位置のモジュール８１、８２に向かってさらに多く吸引され、過度に温度が高いモジュール２、３にさらに多く吸引されるので、過度に温度が高いモジュール２、３の放熱性能が向上する。
【０１６４】
本実施形態は、前述したように、スライダ７０の設置高さや複数のファンモジュール８１、８２、８３のそれぞれの設置高さを変更することにより複数のモジュール２、３、４に流動する空気の気流及び空気量を様々に変化させることができ、複数のモジュール２、３、４のそれぞれの温度に基づいて複数のモジュール２、３、４をそれぞれより効率的に放熱することができる。
【０１６５】
一方、複数のファンモジュール８１、８２、８３のメンテナンスを行う際に、作業者は、図３に示すようにスライダ７０を前方に引き出す。スライダ７０が前方に引き出されると、スライダ７０に設けられた複数のファン９１、９２、９３は、複数のモジュール２、３、４の上方から前方に位置が変更されてケース１の空間Ｓから離脱する。複数のファン９１、９２、９３がケース１の空間Ｓから離脱すると、複数のモジュール２、３、４は、複数のファン９１、９２、９３の下方に位置しなくなる。作業者は、複数のファン９１、９２、９３のメンテナンスなどのために複数のモジュール２、３、４をケース１の外部に取り出すのではなく、スライダ７０をケース１の外部に取り出した状態で複数のファン９１、９２、９３のメンテナンスなどを簡単に行うことができる。
【０１６６】
以上の説明は本発明の技術思想を例示的に説明したものにすぎず、本発明の属する技術の分野における通常の知識を有する者であれば、本発明の本質的な特性から外れない範囲で様々な変更や変形が可能である。
【０１６７】
よって、本明細書に開示されている実施形態は、本発明の技術思想を限定するものではなく、本発明の技術思想を説明するためのものであり、本発明の技術思想の範囲がこれらの実施形態に限定されるものではない。
【０１６８】
本発明の権利範囲は添付の特許請求の範囲により定められるべきであり、同等の範囲内にある全ての技術思想は本発明の権利範囲に含まれるものと解釈されるべきである。
【符号の説明】
【０１６９】
１    ケース
２、３、４    モジュール
５０    第１ガイド
６０    第２ガイド
７０    スライダ
７１    フロントボディ
７２、７３    サイドボディ
７５    ローラ
７６    スライダハンドル
７８    サイドエアガイド固定部
７９    アッパエアガイド固定部
８１、８２、８３    ファンモジュール
９１、９２、９３    ファン
１００    ファンマウンタ
１０２    可変締結板
１０６、１０７    締結部材
１１１、１１２、１１３    エアガイド
１２０    エアガイド設置板
１３０    サイドエアガイド
１４０    アッパエアガイド
Ｓ    空間
【図１】
2017120902.tif 000003
【図２】
2017120902.tif 000004
【図３】
2017120902.tif 000005
【図４】
2017120902.tif 000006
【図５】
2017120902.tif 000007
【図６】
2017120902.tif 000008
【図７】
2017120902.tif 000009
【図８】
2017120902.tif 000010
【図９】
2017120902.tif 000011
【図１０】
2017120902.tif 000012